(57)【要約】【課題】ブラシレス励磁式同期機の界磁諸量を監視でき、安全な運転を継続する。【解決手段】監視制御装置は、前記同期機の電機子電流測定値Ｉｇ及び電機子電圧測定値Ｖｇに基づいて、前記ブラシレス交流励磁機の界磁電流計算値Ｉｆｅｃを計算により求める。前記監視制御装置は、前記ブラシレス交流励磁機の界磁電流計算値Ｉｆｅｃと、前記ブラシレス交流励磁機の界磁電流測定値Ｉｆｅｍとを比較し、前記同期機の界磁電流修正値Ｉｆｇｉ’及び界磁電圧修正値Ｖｆｇｉ’並びに界磁巻線温度修正値Ｔｆ’を求める。前記監視制御装置は、前記同期機の界磁電流修正値Ｉｆｇｉ’及び界磁電圧修正値Ｖｆｇｉ’並びに界磁巻線温度修正値Ｔｆ’が予め設定した許容運転範囲を脱した場合、当該許容運転範囲を脱しない状態になるまで前記ブラシレス交流励磁機の界磁電流を調整するように前記整流装置を制御する。【選択図】図１
2013233065.tif 000002
【特許請求の範囲】
【請求項１】
同期機と、前記同期機に直結されたブラシレス交流励磁機と、前記同期機の回転子に取り付けられ、前記ブラシレス交流励磁機にて発生した交流出力を整流して前記同期機の界磁巻線に供給する回転整流器と、前記ブラシレス交流励磁機に直結された永久磁石発電機と、前記永久磁石発電機にて発生した交流出力を整流して前記ブラシレス交流励磁機の界磁巻線に供給する整流装置と、前記同期機の界磁電流と界磁電圧と界磁巻線温度とを含む界磁諸量を監視制御する監視制御装置とを備えたブラシレス励磁式同期機の監視制御装置であって、
前記同期機の電機子電流測定値Ｉｇ及び電機子電圧測定値Ｖｇに基づいて、前記同期機の界磁電流計算値Ｉｆｇを計算により求める同期機界磁電流計算手段と、
前記同期機の界磁巻線が所定温度ｔ℃のときの界磁巻線抵抗値Ｒｆｔを、前記同期機の界磁巻線が界磁巻線温度Ｔｆのときの界磁巻線抵抗値Ｒｆに換算する同期機巻線抵抗値換算手段と、
前記同期機の界磁電流計算値Ｉｆｇ及び界磁巻線抵抗値Ｒｆに基づいて、前記同期機の界磁電圧計算値Ｖｆｇを計算により求める同期機界磁電圧計算手段と、
前記同期機の界磁電流計算値Ｉｆｇ及び界磁電圧計算値Ｖｆｇと、前記回転整流器の交直変換係数とに基づいて、前記ブラシレス交流励磁機の電機子電流計算値Ｉｅ及び電機子電圧計算値Ｖｅを計算により求める励磁機出力計算手段と、
前記ブラシレス交流励磁機の電機子電流計算値Ｉｅ及び電機子電圧計算値Ｖｅに基づいて、前記ブラシレス交流励磁機の界磁電流計算値Ｉｆｅｃを計算により求める励磁機界磁電流計算手段と、
前記ブラシレス交流励磁機の界磁電流計算値Ｉｆｅｃと、前記ブラシレス交流励磁機の界磁電流測定値Ｉｆｅｍとを比較することにより、前記同期機の界磁電流修正値Ｉｆｇｉ’及び界磁電圧修正値Ｖｆｇｉ’並びに界磁巻線温度修正値Ｔｆ’を求める修正手段と、
前記同期機の界磁電流修正値Ｉｆｇｉ’及び界磁電圧修正値Ｖｆｇｉ’並びに界磁巻線温度修正値Ｔｆ’が予め設定した許容運転範囲を脱した場合、前記同期機の各修正値Ｉｆｇｉ’，Ｖｆｇｉ’，Ｔｆ’が当該許容運転範囲を脱しない状態になるまで前記ブラシレス交流励磁機の界磁電流を調整するように前記整流装置を制御する整流装置制御手段と
を備えたことを特徴とするブラシレス励磁式同期機の監視制御装置。
【請求項２】
請求項１に記載のブラシレス励磁式同期機の監視制御装置において、
前記同期機巻線抵抗値換算手段は、
前記所定温度ｔ℃を２０℃としたときの界磁巻線抵抗値Ｒｆ２０と前記界磁巻線温度Ｔｆとの下記関係式から界磁巻線温度Ｔｆをパラメータ化することにより、予め前記所定温度ｔ℃における界磁巻線抵抗値Ｒｆを算出する手段と、
前記算出された所定温度ｔ℃における界磁巻線抵抗値Ｒｆを記憶する界磁巻線抵抗値記憶手段と
を備えたことを特徴とするブラシレス励磁式同期機の監視制御装置。
Ｒｆ＝｛（２３５＋Ｔｆ）／（２３５＋２０）｝×Ｒｆ２０
【請求項３】
請求項２に記載のブラシレス励磁式同期機の監視制御装置において、
前記同期機界磁電流計算手段は、
同期機の界磁電流算定法に用いる前記同期機の特性データを記憶する同期機特性データ記憶部と、
前記同期機の電機子電流測定値Ｉｇ及び電機子電圧測定値Ｖｇと、前記同期機の特性データと、前記界磁電流算定法とにより、前記同期機の界磁電流計算値Ｉｆｇを計算する同期機界磁電流計算部と
を備え、
前記同期機界磁電圧計算手段は、
前記界磁電流算定法により計算された同期機の界磁電流計算値Ｉｆｇと、前記界磁巻線抵抗値記憶手段から読み出した界磁巻線抵抗計算値Ｒｆとを乗算して前記同期機の界磁電圧計算値Ｖｆｇ（＝Ｒｆ×Ｉｆｇ）を求めることを特徴とするブラシレス励磁式同期機の監視制御装置。
【請求項４】
請求項３に記載のブラシレス励磁式同期機の監視制御装置において、
前記励磁機界磁電流計算手段は、
励磁機の界磁電流算定法に用いる前記ブラシレス交流励磁機の特性データを記憶する励磁機特性データ記憶部と、
前記ブラシレス交流励磁機の電機子電流計算値Ｉｅ及び電機子電圧計算値Ｖｅと、前記ブラシレス交流励磁機の特性データと、前記励磁機の界磁電流算定法とにより、前記ブラシレス交流励磁機の界磁電流計算値Ｉｆｅｃを計算する励磁機界磁電流計算部と
を備えたことを特徴とするブラシレス励磁式同期機の監視制御装置。
【請求項５】
請求項４に記載のブラシレス励磁式同期機の監視制御装置において、
前記修正手段は、
前記励磁機界磁電流計算部により計算された前記ブラシレス交流励磁機の界磁電流計算値Ｉｆｅｃと、前記ブラシレス交流励磁機の界磁電流測定値Ｉｆｅｍとを比較する比較部と、
前記比較の結果、両者が近似的にも等しくないとき、前記ブラシレス交流励磁機の電機子と前記回転整流器と前記同期機の界磁とを含む回路の異常を示す異常信号を出力する異常信号出力部と、
前記比較の結果、両者が近似的に等しいとき、前記同期機の界磁電流計算値Ｉｆｇ及び界磁電圧計算値Ｖｆｇに所定の係数ｅｉを乗じて（但し、ｉ＝１，２，…，ｎ）、前記同期機の界磁電流計算値Ｉｆｇｉ’及び界磁電圧計算値Ｖｆｇｉ’を得る係数乗算部と、
前記同期機の界磁電流計算値Ｉｆｇｉ’及び界磁電圧計算値Ｖｆｇｉ’を用いて、前記ブラシレス交流励磁機の界磁電流計算値Ｉｆｅｃ’を計算により求めるように、前記励磁機出力計算手段及び前記励磁機界磁電流計算手段を制御する計算手段制御部と、
前記計算手段制御部の制御により求められた前記ブラシレス交流励磁機の界磁電流計算値Ｉｆｅｃ’と、前記ブラシレス交流励磁機の界磁電流測定値Ｉｆｅｍとを比較し、両者の差分が最小の当該界磁電流計算値Ｉｆｅｃ’を求めるのに用いた前記同期機の界磁電流計算値Ｉｆｇｉ’及び界磁電圧計算値Ｖｆｇｉ’を前記同期機の界磁電流修正値Ｉｆｇｉ’及び界磁電圧修正値Ｖｆｇｉ’として選択する選択部と、
前記選択された前記同期機の界磁電流修正値Ｉｆｇｉ’及び界磁電圧修正値Ｖｆｇｉ’に基づき、下記式から前記界磁巻線温度修正値Ｔｆ’を計算する温度修正値計算部と
を備えたことを特徴とするブラシレス励磁式同期機の監視制御装置。
Ｔｆ’＝（２３５＋２０）×｛（Ｖｆｇｉ’／Ｉｆｇｉ’）／Ｒｆ２０｝−２３５
【請求項６】
請求項５に記載のブラシレス励磁式同期機の監視制御装置において、
前記整流装置制御手段は、
前記同期機の各修正値Ｉｆｇｉ’，Ｖｆｇｉ’，Ｔｆ’が前記許容運転範囲を脱しない状態になるように前記ブラシレス交流励磁機の界磁電流を調整するための設定値増減指令に応じて、前記整流装置を制御する自動電圧調整装置と、
前記選択された前記同期機の界磁電流修正値Ｉｆｇｉ’及び界磁電圧修正値Ｖｆｇｉ’並びに前記計算された前記界磁巻線温度修正値Ｔｆ’が前記許容運転範囲を脱した場合、前記設定値増減指令を前記自動電圧調整装置に入力する指令入力部と
を備えたことを特徴とするブラシレス励磁式同期機の監視制御装置。
【請求項７】
請求項５に記載のブラシレス励磁式同期機の監視制御装置において、
前記選択された前記同期機の界磁電流修正値Ｉｆｇｉ’及び界磁電圧修正値Ｖｆｇｉ’並びに前記計算された前記界磁巻線温度修正値Ｔｆ’を表示する表示手段、
を更に備えたことを特徴とするブラシレス励磁式同期機の監視制御装置。
【請求項８】
請求項５に記載のブラシレス励磁式同期機の監視制御装置において、
前記選択された前記同期機の界磁電流修正値Ｉｆｇｉ’及び界磁電圧修正値Ｖｆｇｉ’並びに前記計算された前記界磁巻線温度修正値Ｔｆ’を含む界磁諸量データを日時情報に関連付けて記憶する界磁諸量データ記憶手段と、
前記界磁諸量データ記憶手段内の過去の界磁諸量データと現在の界磁諸量データとの差分が許容範囲を脱したか否かにより、前記同期機の状態を診断する状態診断手段と、
前記診断の結果を出力する診断結果出力手段と
を更に備えたことを特徴とするブラシレス励磁式同期機の監視制御装置。
【請求項９】
同期機と、前記同期機に直結されたブラシレス交流励磁機と、前記同期機の回転子に取り付けられ、前記ブラシレス交流励磁機にて発生した交流出力を整流して前記同期機の界磁巻線に供給する回転整流器と、前記ブラシレス交流励磁機に直結された永久磁石発電機と、前記永久磁石発電機にて発生した交流出力を整流して前記ブラシレス交流励磁機の界磁巻線に供給する整流装置と、前記同期機の界磁電流と界磁電圧と界磁巻線温度とを含む界磁諸量を監視制御する監視制御装置とを備えたブラシレス励磁式同期機に対し、前記監視制御装置が実行するブラシレス励磁式同期機の監視制御方法であって、
前記同期機の電機子電流測定値Ｉｇ及び電機子電圧測定値Ｖｇに基づいて、前記同期機の界磁電流計算値Ｉｆｇを計算により求める同期機界磁電流計算工程と、
前記同期機の界磁巻線が所定温度ｔ℃のときの界磁巻線抵抗値Ｒｆｔを、前記同期機の界磁巻線が界磁巻線温度Ｔｆのときの界磁巻線抵抗値Ｒｆに換算する同期機巻線抵抗値換算工程と、
前記同期機の界磁電流計算値Ｉｆｇ及び界磁巻線抵抗値Ｒｆに基づいて、前記同期機の界磁電圧計算値Ｖｆｇを計算により求める同期機界磁電圧計算工程と、
前記同期機の界磁電流計算値Ｉｆｇ及び界磁電圧計算値Ｖｆｇと、前記回転整流器の交直変換係数とに基づいて、前記ブラシレス交流励磁機の電機子電流計算値Ｉｅ及び電機子電圧計算値Ｖｅを計算により求める励磁機出力計算工程と、
前記ブラシレス交流励磁機の電機子電流計算値Ｉｅ及び電機子電圧計算値Ｖｅに基づいて、前記ブラシレス交流励磁機の界磁電流計算値Ｉｆｅｃを計算により求める励磁機界磁電流計算工程と、
前記ブラシレス交流励磁機の界磁電流計算値Ｉｆｅｃと、前記ブラシレス交流励磁機の界磁電流測定値Ｉｆｅｍとを比較することにより、前記同期機の界磁電流修正値Ｉｆｇｉ’及び界磁電圧修正値Ｖｆｇｉ’並びに界磁巻線温度修正値Ｔｆ’を求める修正工程と、
前記同期機の界磁電流修正値Ｉｆｇｉ’及び界磁電圧修正値Ｖｆｇｉ’並びに界磁巻線温度修正値Ｔｆ’が予め設定した許容運転範囲を脱した場合、前記同期機の各修正値Ｉｆｇｉ’，Ｖｆｇｉ’，Ｔｆ’が当該許容運転範囲を脱しない状態になるまで前記ブラシレス交流励磁機の界磁電流を調整するように前記整流装置を制御する整流装置制御工程と
を備えたことを特徴とするブラシレス励磁式同期機の監視制御方法。
【請求項１０】
同期機と、前記同期機に直結されたブラシレス交流励磁機と、前記同期機の回転子に取り付けられ、前記ブラシレス交流励磁機にて発生した交流出力を整流して前記同期機の界磁巻線に供給する回転整流器と、前記ブラシレス交流励磁機に直結された永久磁石発電機と、前記永久磁石発電機にて発生した交流出力を整流して前記ブラシレス交流励磁機の界磁巻線に供給する整流装置と、前記同期機の界磁電流と界磁電圧と界磁巻線温度とを含む界磁諸量を監視制御する監視制御装置とを備えたブラシレス励磁式同期機であって、
前記監視制御装置は、
前記同期機の電機子電流測定値Ｉｇ及び電機子電圧測定値Ｖｇに基づいて、前記同期機の界磁電流計算値Ｉｆｇを計算により求める同期機界磁電流計算手段と、
前記同期機の界磁巻線が所定温度ｔ℃のときの界磁巻線抵抗値Ｒｆｔを、前記同期機の界磁巻線が界磁巻線温度Ｔｆのときの界磁巻線抵抗値Ｒｆに換算する同期機巻線抵抗値換算手段と、
前記同期機の界磁電流計算値Ｉｆｇ及び界磁巻線抵抗値Ｒｆに基づいて、前記同期機の界磁電圧計算値Ｖｆｇを計算により求める同期機界磁電圧計算手段と、
前記同期機の界磁電流計算値Ｉｆｇ及び界磁電圧計算値Ｖｆｇと、前記回転整流器の交直変換係数とに基づいて、前記ブラシレス交流励磁機の電機子電流計算値Ｉｅ及び電機子電圧計算値Ｖｅを計算により求める励磁機出力計算手段と、
前記ブラシレス交流励磁機の電機子電流計算値Ｉｅ及び電機子電圧計算値Ｖｅに基づいて、前記ブラシレス交流励磁機の界磁電流計算値Ｉｆｅｃを計算により求める励磁機界磁電流計算手段と、
前記ブラシレス交流励磁機の界磁電流計算値Ｉｆｅｃと、前記ブラシレス交流励磁機の界磁電流測定値Ｉｆｅｍとを比較することにより、前記同期機の界磁電流修正値Ｉｆｇｉ’及び界磁電圧修正値Ｖｆｇｉ’並びに界磁巻線温度修正値Ｔｆ’を求める修正手段と、
前記同期機の界磁電流修正値Ｉｆｇｉ’及び界磁電圧修正値Ｖｆｇｉ’並びに界磁巻線温度修正値Ｔｆ’が予め設定した許容運転範囲を脱した場合、前記同期機の各修正値Ｉｆｇｉ’，Ｖｆｇｉ’，Ｔｆ’が当該許容運転範囲を脱しない状態になるまで前記ブラシレス交流励磁機の界磁電流を調整するように前記整流装置を制御する整流装置制御手段と
を備えたことを特徴とするブラシレス励磁式同期機。
【発明の詳細な説明】
【技術分野】
【０００１】
本発明の実施形態は、ブラシレス励磁式同期機、監視制御装置及び方法に関する。
【背景技術】
【０００２】
ブラシレス励磁式同期機は、回転電機子形の交流励磁機から得た交流出力を主軸に取付けられた回転整流器で直流に変換し、同期機の界磁巻線を励磁する方式である。
【０００３】
交流励磁機は、極軸に取り付けられた永久磁石発電機の出力が整流装置で整流されて界磁電流が得られる一方、界磁電流を得るための整流装置が自動電圧調整装置（ＡＶＲ）で調整される。
【０００４】
同期機の界磁回路、回転整流装置、及び交流励磁機の電機子回路は、機械的、電気的に一体構造で回転しており、ブラシ及びコレクターリング等の摺動接触部が無いので、カーボンダストの清掃及びブラシ交換などが不要であり、保守が容易である。但し、同期機の界磁回路、回転整流装置、交流励磁機の電機子が回転軸を共にしていることから、同期機の界磁巻線及び交流励磁機の電機子巻線の電流や電圧、温度などの界磁諸量を直接測定することが困難となっている。
【先行技術文献】
【特許文献】
【０００５】
【特許文献１】特許第３５４０７３０号公報
【特許文献２】特許第３２２７８６５号公報
【発明の概要】
【発明が解決しようとする課題】
【０００６】
以上説明したように、ブラシレス励磁式同期機の界磁諸量を直接測定することが困難となっている。このため、同期機の界磁回路の異常等を監視できず、安全な運転を継続できない可能性がある。
【０００７】
本発明が解決しようとする課題は、ブラシレス励磁式同期機の界磁諸量を監視でき、安全な運転を継続し得るブラシレス励磁式同期機、監視制御装置及び方法を提供することを目的とする。
【課題を解決するための手段】
【０００８】
実施形態のブラシレス励磁式同期機は、同期機、ブラシレス交流励磁機、回転整流器、永久磁石発電機、整流装置及び監視制御装置を備えている。
【０００９】
前記ブラシレス交流励磁機は、前記同期機に直結されている。
【００１０】
前記回転整流器は、前記同期機の回転子に取り付けられ、前記ブラシレス交流励磁機にて発生した交流出力を整流して前記同期機の界磁巻線に供給する。
【００１１】
前記永久磁石発電機は、前記ブラシレス交流励磁機に直結されている。
【００１２】
前記整流装置は、前記永久磁石発電機にて発生した交流出力を整流して前記ブラシレス交流励磁機の界磁巻線に供給する。
【００１３】
前記監視制御装置は、前記同期機の界磁電流と界磁電圧と界磁巻線温度とを含む界磁諸量を監視制御する。
【００１４】
前記監視制御装置は、同期機界磁電流計算手段、同期機巻線抵抗値換算手段、同期機界磁電圧計算手段、励磁機出力計算手段、励磁機界磁電流計算手段、修正手段及び整流装置制御手段を備えている。
【００１５】
前記同期機界磁電流計算手段は、前記同期機の電機子電流測定値Ｉｇ及び電機子電圧測定値Ｖｇに基づいて、前記同期機の界磁電流計算値Ｉｆｇを計算により求める。
【００１６】
前記同期機巻線抵抗値換算手段は、前記同期機の界磁巻線が所定温度ｔ℃のときの界磁巻線抵抗値Ｒｆｔを、前記同期機の界磁巻線が界磁巻線温度Ｔｆのときの界磁巻線抵抗値Ｒｆに換算する。
【００１７】
前記同期機界磁電圧計算手段は、前記同期機の界磁電流計算値Ｉｆｇ及び界磁巻線抵抗値Ｒｆに基づいて、前記同期機の界磁電圧計算値Ｖｆｇを計算により求める。
【００１８】
前記励磁機出力計算手段は、前記同期機の界磁電流計算値Ｉｆｇ及び界磁電圧計算値Ｖｆｇと、前記回転整流器の交直変換係数とに基づいて、前記ブラシレス交流励磁機の電機子電流計算値Ｉｅ及び電機子電圧計算値Ｖｅを計算により求める。
【００１９】
前記励磁機界磁電流計算手段は、前記ブラシレス交流励磁機の電機子電流計算値Ｉｅ及び電機子電圧計算値Ｖｅに基づいて、前記ブラシレス交流励磁機の界磁電流計算値Ｉｆｅｃを計算により求める。
【００２０】
前記修正手段は、前記ブラシレス交流励磁機の界磁電流計算値Ｉｆｅｃと、前記ブラシレス交流励磁機の界磁電流測定値Ｉｆｅｍとを比較することにより、前記同期機の界磁電流修正値Ｉｆｇｉ’及び界磁電圧修正値Ｖｆｇｉ’並びに界磁巻線温度修正値Ｔｆ’を求める。
【００２１】
前記整流装置制御手段は、前記同期機の界磁電流修正値Ｉｆｇｉ’及び界磁電圧修正値Ｖｆｇｉ’並びに界磁巻線温度修正値Ｔｆ’が予め設定した許容運転範囲を脱した場合、前記同期機の各修正値Ｉｆｇｉ’，Ｖｆｇｉ’，Ｔｆ’が当該許容運転範囲を脱しない状態になるまで前記ブラシレス交流励磁機の界磁電流を調整するように前記整流装置を制御する。
【発明の効果】
【００２２】
以上説明したように本発明によれば、ブラシレス励磁式同期機の界磁諸量を監視でき、安全な運転を継続できる。
【図面の簡単な説明】
【００２３】
【図１】第１の実施形態に係るブラシレス励磁式同期機の構成を示す模式図である。
【図２】同実施形態における動作を説明するためのフローチャートである。
【図３】同実施形態におけるステップＳＴ６０の動作を説明するためのフローチャートである。
【図４】第２の実施形態に係るブラシレス励磁式同期機の構成を示す模式図である。
【図５】第３の実施形態に係るブラシレス励磁式同期機の構成を示す模式図である。
【発明を実施するための形態】
【００２４】
以下、各実施形態について図面を用いて説明するが、その前に、各実施形態の概要を述べる。第１の実施形態は、界磁諸量を直接測定することが困難であるため、従来の構造で測定可能な電気諸量（測定値）から界磁諸量を推定（計算）することにより、界磁諸量を監視制御し、安全な運転を継続する形態である。第２の実施形態は、第１の実施形態で得られた界磁諸量を常時表示し、監視する形態である。第３の実施形態は、第１の実施形態で得られた界磁諸量を長期継続的に記録して経年変化をみることにより、同期機の状態を診断する形態である。以上が各実施形態の概要である。続いて、各実施形態を順次、説明する。
【００２５】
＜第１の実施形態＞
図１は第１の実施形態に係るブラシレス励磁式同期機の構成を示す模式図である。このブラシレス励磁式同期機は、大まかには、整流装置５と、同期機端子に取り付けられた計器用変流器６及び計器用変圧器７とにより、交流励磁機界磁電流測定値Ｉｆｅｍと同期機端子出力測定値（電機子電流Ｉｇ，電機子電圧Ｖｇ）が監視制御装置１０に入力される構成である。また、監視制御装置１０は、入力された測定値（Ｉｆｅｍ，Ｉｇ，Ｖｇ）により、同期機の界磁諸量（界磁電流Ｉｆｇ，界磁電圧Ｖｆｇ，界磁巻線温度Ｔｆ）を求めると共に、この界磁諸量が許容運転範囲を脱した場合、自動電圧調整装置（ＡＶＲ）１３が整流装置５を制御して、同期機１が正常となる状態へブラシレス交流励磁機３の界磁電流を調整する構成である。これにより、ブラシレス励磁式同期機は安全な運転を継続する。
【００２６】
このようなブラシレス励磁式同期機は、具体的には、同期機１、回転整流器２、ブラシレス交流励磁機３（以下、交流励磁機３という）、永久磁石発電機４、整流装置５、計器用変流器６、計器用変圧器７及び監視制御装置１０を備えている。
【００２７】
同期機１は、交流励磁機３の回転子に直結された回転子（界磁巻線を有する回転子）の回転に応じて交流出力を電機子に発生する。
【００２８】
回転整流器２は、同期機１の回転子に取り付けられ、交流励磁機３にて発生した交流出力を整流して同期機１の界磁巻線に供給する。
【００２９】
交流励磁機３は、同期機１に直結されている。交流励磁機３は、回転電機子型の電動機であり、整流装置５から供給された界磁電流により、電機子を回転させる。交流励磁機３の電機子は、同期機１の回転子及び永久磁石発電機４の回転子に直結されている。
【００３０】
永久磁石発電機４は、交流励磁機３に直結されている。永久磁石発電機４は、交流励磁機３の電機子に直結された回転子の回転に応じて交流出力を発生する。
【００３１】
整流装置５は、永久磁石発電機４にて発生した交流出力を整流して交流励磁機３の界磁巻線に供給する。
【００３２】
計器用変流器６は、同期機１の電機子電流の測定信号を監視制御装置１０に送出する。
【００３３】
計器用変圧器７は、同期機１の電機子電圧の測定信号を監視制御装置１０に送出する。
【００３４】
監視制御装置１０は、計器用変流器６の測定信号が示す同期機１の電機子電流測定値Ｉｇと、計器用変圧器７の測定信号が示す同期機１の電機子電圧測定値Ｖｇと、整流装置５から得られた交流励磁機３の界磁電流測定値Ｉｆｅｍとに基づいて、同期機１の界磁電流と界磁電圧と界磁巻線温度とを含む界磁諸量を監視制御する。
【００３５】
具体的には、監視制御装置１０は、以下の各機能（ｆ１）〜（ｆ７）を備えている。ここで、機能（ｆ１）〜（ｆ２）は、特性データ記憶部１１及び演算部１４に実装されている。機能（ｆ３）〜（ｆ６）は、演算部１４に実装されている。機能（ｆ７）は、演算部１４及び自動電圧調整装置（ＡＶＲ）１３に実装されている。
【００３６】
（ｆ１）  同期機１の電機子電流測定値Ｉｇ及び電機子電圧測定値Ｖｇに基づいて、同期機１の界磁電流計算値Ｉｆｇを計算により求める同期機界磁電流計算機能。なお、機能（ｆ１）は、界磁電流算定法に用いる同期機の特性データを記憶する特性データ記憶部１１と、演算部１４の一機能（ｆ１−１）として実装してもよい。
【００３７】
（ｆ１−１）  同期機１の電機子電流測定値Ｉｇ及び電機子電圧測定値Ｖｇと、当該同期機１の特性データと、当該界磁電流算定法とにより、同期機１の界磁電流計算値Ｉｆｇを計算する機能。
【００３８】
ここで、同期機１の界磁電流算定法としては、例えば、ＪＥＣ（電気規格調査会標準規格）−１１４などの規格で規定されている方法が使用可能となっている。ＪＥＣ−１１４の界磁電流算定法によれば、無負荷飽和曲線や短絡特性曲線などの同期機１の特性データを用い、同期機１の電機子電圧、同電機子電流及び同力率の測定値に基づいて、同期機１の界磁電流を計算することができる。なお、力率は、有効電力と無効電力とから計算される。
【００３９】
（ｆ２）  同期機１の界磁巻線が所定温度ｔ℃のときの界磁巻線抵抗値Ｒｆｔを、同期機１の界磁巻線が界磁巻線温度Ｔｆのときの界磁巻線抵抗値Ｒｆに換算する同期機巻線抵抗値換算機能。なお、機能（ｆ２）は、演算部１４の一機能（ｆ２−１）と、演算部１４の一機能（ｆ２−１）により算出された所定温度ｔ℃における界磁巻線抵抗値Ｒｆを記憶する界磁巻線抵抗値記憶部１２として実装してもよい。
【００４０】
（ｆ２−１）  所定温度ｔ℃を２０℃としたときの界磁巻線抵抗値Ｒｆ２０と界磁巻線温度Ｔｆとの下記関係式から界磁巻線温度Ｔｆをパラメータ化することにより、予め所定温度ｔ℃における界磁巻線抵抗値Ｒｆを算出する機能。
【００４１】
Ｒｆ＝｛（２３５＋Ｔｆ）／（２３５＋２０）｝×Ｒｆ２０
（ｆ３）  同期機１の界磁電流計算値Ｉｆｇ及び界磁巻線抵抗値Ｒｆに基づいて、同期機１の界磁電圧計算値Ｖｆｇを計算により求める同期機界磁電圧計算機能。なお、機能（ｆ３）は、界磁電流算定法により計算された同期機１の界磁電流計算値Ｉｆｇと、界磁巻線抵抗値記憶部１２から読み出した界磁巻線抵抗計算値Ｒｆとを乗算して同期機１の界磁電圧計算値Ｖｆｇ（＝Ｒｆ×Ｉｆｇ）を求める機能として実装してもよい。
【００４２】
（ｆ４）  同期機１の界磁電流計算値Ｉｆｇ及び界磁電圧計算値Ｖｆｇと、回転整流器２の交直変換係数とに基づいて、交流励磁機３の電機子電流計算値Ｉｅ及び電機子電圧計算値Ｖｅを計算により求める励磁機出力計算機能。
【００４３】
（ｆ５）  交流励磁機３の電機子電流計算値Ｉｅ及び電機子電圧計算値Ｖｅに基づいて、交流励磁機４の界磁電流計算値Ｉｆｅｃを計算により求める励磁機界磁電流計算機能。なお、機能（ｆ５）は、界磁電流算定法に用いる交流励磁機３の特性データを記憶する特性データ記憶部１１と、演算部１４の一機能（ｆ５−１）として実装してもよい。
【００４４】
（ｆ５−１）  交流励磁機３の電機子電流計算値Ｉｅ及び電機子電圧計算値Ｖｅと、特性データ記憶部１１内の交流励磁機３の特性データと、界磁電流算定法とにより、交流励磁機３の界磁電流計算値Ｉｆｅｃを計算する機能。
【００４５】
ここで、界磁電流算定法としては、例えば、特許文献２の第１４−２４段落に記載の同期機理論に基づく方法が使用可能となっている。この方法によれば、電機子電流の基本成分算出用のパラメータψｄ及び電機子電流実効値成分計算用のパラメータＫetなどの励磁機の特性データを用い、励磁機の電機子電圧及び電機子電流の計算値に基づいて、励磁機の界磁電流を計算することができる。
【００４６】
（ｆ６）  交流励磁機３の界磁電流計算値Ｉｆｅｃと、交流励磁機３の界磁電流測定値Ｉｆｅｍとを比較することにより、同期機１の界磁電流修正値Ｉｆｇｉ’及び界磁電圧修正値Ｖｆｇｉ’並びに界磁巻線温度修正値Ｔｆ’を求める修正機能。なお、機能（ｆ６）は、以下の機能（ｆ６−１）〜（ｆ６−４）として実装してもよい。
【００４７】
（ｆ６−１）  機能（ｆ５−１）により計算された交流励磁機３の界磁電流計算値Ｉｆｅｃと、交流励磁機３の界磁電流測定値Ｉｆｅｍとを比較する比較機能。
【００４８】
（ｆ６−２）  比較の結果、両者が近似的にも等しくないとき、交流励磁機３の電機子と回転整流器２と同期機１の界磁とを含む回路の異常を示す異常信号を出力する異常信号出力機能。
【００４９】
（ｆ６−３）  比較の結果、両者が近似的に等しいとき、同期機１の界磁電流計算値Ｉｆｇ及び界磁電圧計算値Ｖｆｇに所定の係数ｅｉを乗じて（但し、ｉ＝１，２，…，ｎ）、同期機１の界磁電流計算値Ｉｆｇｉ’及び界磁電圧計算値Ｖｆｇｉ’を得る係数乗算機能。ここで、所定の係数ｅｉとしては、例えば、ｎ＝５の場合、１、１±０．００２５、１±０．００５の５種類の係数が使用可能となっている。
【００５０】
（ｆ６−４）  同期機１の界磁電流計算値Ｉｆｇｉ’及び界磁電圧計算値Ｖｆｇｉ’を用いて、交流励磁機３の界磁電流計算値Ｉｆｅｃ’を計算により求めるように、励磁機出力計算機能（ｆ４）及び励磁機界磁電流計算機能（ｆ５）を制御する計算機能制御機能。
【００５１】
（ｆ６−５）  機能（ｆ６−４）の制御により求められた交流励磁機３の界磁電流計算値Ｉｆｅｃ’と、交流励磁機３の界磁電流測定値Ｉｆｅｍとを比較し、両者の差分が最小の当該界磁電流計算値Ｉｆｅｃ’を求めるのに用いた同期機１の界磁電流計算値Ｉｆｇｉ’及び界磁電圧計算値Ｖｆｇｉ’を同期機１の界磁電流修正値Ｉｆｇｉ’及び界磁電圧修正値Ｖｆｇｉ’として選択する選択機能。
【００５２】
（ｆ６−６）  選択された同期機１の界磁電流修正値Ｉｆｇｉ’及び界磁電圧修正値Ｖｆｇｉ’に基づき、下記式から界磁巻線温度修正値Ｔｆ’を計算する温度修正値計算機能。
【００５３】
Ｔｆ’＝（２３５＋２０）×｛（Ｖｆｇｉ’／Ｉｆｇｉ’）／Ｒｆ２０｝−２３５
（ｆ７）  同期機１の界磁電流修正値Ｉｆｇｉ’及び界磁電圧修正値Ｖｆｇｉ’並びに界磁巻線温度修正値Ｔｆ’が予め設定した許容運転範囲を脱した場合、同期機１の各修正値Ｉｆｇｉ’，Ｖｆｇｉ’，Ｔｆ’が当該許容運転範囲を脱しない状態になるまで交流励磁機３の界磁電流を調整するように整流装置５を制御する整流装置制御機能。なお、機能（ｆ７）は、同期機１の各修正値Ｉｆｇｉ’，Ｖｆｇｉ’，Ｔｆ’が許容運転範囲を脱しない状態になるように交流励磁機３の界磁電流を調整するための設定値増減指令に応じて、整流装置５を制御する自動電圧調整装置（ＡＶＲ）１３と、演算部１４の一機能（ｆ７−１）として実装してもよい。
【００５４】
（ｆ７−１）  機能（ｆ６−５）により選択された同期機１の界磁電流修正値Ｉｆｇｉ’及び界磁電圧修正値Ｖｆｇｉ’並びに機能（ｆ６−６）により計算された界磁巻線温度修正値Ｔｆ’が予め設定した許容運転範囲を脱した場合、設定値増減指令を自動電圧調整装置（ＡＶＲ）１３に入力する指令入力機能。
【００５５】
次に、以上のように構成されたブラシレス励磁式同期機システムの監視制御装置が実行する監視制御方法について図２及び図３のフローチャートを用いて説明する。
【００５６】
監視制御装置１０内の自動電圧調整装置（ＡＶＲ）１３は、計器用変流器６の測定信号が示す同期機１の電機子電流測定値Ｉｇと、計器用変圧器７の測定信号が示す同期機１の電機子電圧測定値Ｖｇと、整流装置５から得られた交流励磁機３の界磁電流測定値Ｉｆｅｍとを演算部１４に送出する。
【００５７】
演算部１４は、同期機１の電機子電流測定値Ｉｇ及び電機子電圧測定値Ｖｇに基づいて、同期機１の界磁電流計算値Ｉｆｇを計算により求める（ＳＴ１０）。具体的には、演算部１４は、同期機１の電機子電流測定値Ｉｇ及び電機子電圧測定値Ｖｇと、特性データ記憶部１１内の同期機１の特性データと、例えばＪＥＣ−１１４に規定された界磁電流算定法とにより、同期機１の界磁電流計算値Ｉｆｇを計算する。
【００５８】
また、演算部１４は、同期機１の界磁巻線が所定温度ｔ℃のときの界磁巻線抵抗値Ｒｆｔを、同期機１の界磁巻線が界磁巻線温度Ｔｆのときの界磁巻線抵抗値Ｒｆに換算する（ＳＴ２０）。具体的には、演算部１４は、所定温度ｔ℃を２０℃としたときの界磁巻線抵抗値Ｒｆ２０と界磁巻線温度Ｔｆとの下記関係式から界磁巻線温度Ｔｆをパラメータ化することにより、予め所定温度ｔ℃における界磁巻線抵抗値Ｒｆを算出する。
【００５９】
Ｒｆ＝｛（２３５＋Ｔｆ）／（２３５＋２０）｝×Ｒｆ２０
しかる後、演算部１４は、算出した所定温度ｔ℃における界磁巻線抵抗値Ｒｆを界磁巻線抵抗値記憶部１２に書込む。
【００６０】
ステップＳＴ１０及びＳＴ２０の後、演算部１４は、同期機１の界磁電流計算値Ｉｆｇ及び界磁巻線抵抗値Ｒｆに基づいて、同期機１の界磁電圧計算値Ｖｆｇを計算により求める（ＳＴ３０）。具体的には、演算部１４は、界磁電流算定法により計算された同期機１の界磁電流計算値Ｉｆｇと、界磁巻線抵抗値記憶部１２から読み出した界磁巻線抵抗計算値Ｒｆとを乗算して同期機１の界磁電圧計算値Ｖｆｇ（＝Ｒｆ×Ｉｆｇ）を求める。
【００６１】
ステップＳＴ３０の後、演算部１４は、同期機１の界磁電流計算値Ｉｆｇ及び界磁電圧計算値Ｖｆｇと、回転整流器２の交直変換係数とに基づいて、交流励磁機３の電機子電流計算値Ｉｅ及び電機子電圧計算値Ｖｅを計算により求める（ＳＴ４０）。
【００６２】
ステップＳＴ４０の後、演算部１４は、交流励磁機３の電機子電流計算値Ｉｅ及び電機子電圧計算値Ｖｅに基づいて、交流励磁機４の界磁電流計算値Ｉｆｅｃを計算により求める（ＳＴ５０）。具体的には、演算部１４は、交流励磁機３の電機子電流計算値Ｉｅ及び電機子電圧計算値Ｖｅと、特性データ記憶部１１内の交流励磁機３の特性データと、励磁機の界磁電流算定法とにより、交流励磁機３の界磁電流計算値Ｉｆｅｃを計算する。
【００６３】
ステップＳＴ５０の後、演算部１４は、交流励磁機３の界磁電流計算値Ｉｆｅｃと、交流励磁機３の界磁電流測定値Ｉｆｅｍとを比較することにより、同期機１の界磁電流修正値Ｉｆｇｉ’及び界磁電圧修正値Ｖｆｇｉ’並びに界磁巻線温度修正値Ｔｆ’を求める（ＳＴ６０）。
【００６４】
ステップＳＴ６０の後、演算部１４及び自動電圧調整装置（ＡＶＲ）１３は、同期機１の界磁電流修正値Ｉｆｇｉ’及び界磁電圧修正値Ｖｆｇｉ’並びに界磁巻線温度修正値Ｔｆ’が予め設定した許容運転範囲を脱した場合、同期機１の各修正値Ｉｆｇｉ’，Ｖｆｇｉ’，Ｔｆ’が当該許容運転範囲を脱しない状態になるまで交流励磁機３の界磁電流を調整するように整流装置５を制御する。具体的には、演算部１３は、選択された同期機１の界磁電流修正値Ｉｆｇｉ’及び界磁電圧修正値Ｖｆｇｉ’並びに計算された界磁巻線温度修正値Ｔｆ’が予め設定した許容運転範囲を脱した場合、当該許容運転範囲を脱しない状態になるように交流励磁機３の界磁電流を調整するための設定値増減指令を自動電圧調整装置（ＡＶＲ）１３に入力する。
【００６５】
自動電圧調整装置（ＡＶＲ）１３は、入力された設定値増減指令に応じて、整流装置５を制御する。
【００６６】
図３はステップＳＴ６０の動作を説明するためのフローチャートである。
【００６７】
演算部１４は、ステップＳＴ５０により計算された交流励磁機３の界磁電流計算値Ｉｆｅｃと、交流励磁機３の界磁電流測定値Ｉｆｅｍとを比較し（ＳＴ６１）、両者が近似的に等しいか否かを判定する（ＳＴ６２）。
【００６８】
ステップＳＴ６１〜ＳＴ６２の比較・判定の結果、両者が近似的にも等しくないとき、演算部１４は、交流励磁機３の電機子と回転整流器２と同期機１の界磁とを含む回路の異常を示す異常信号を出力する（ＳＴ６３）。
【００６９】
一方、ステップＳＴ６１〜ＳＴ６２の比較・判定の結果、両者が近似的に等しいとき、演算部１４は、同期機１の界磁電流計算値Ｉｆｇ及び界磁電圧計算値Ｖｆｇに所定の係数ｅｉを乗じて（但し、ｉ＝１，２，…，ｎ）、同期機１の界磁電流計算値Ｉｆｇｉ’及び界磁電圧計算値Ｖｆｇｉ’を得る（ＳＴ６４〜ＳＴ６６）。
【００７０】
ステップＳＴ６６の後、演算部１４は、同期機１の界磁電流計算値Ｉｆｇｉ’及び界磁電圧計算値Ｖｆｇｉ’を用いて、交流励磁機３の界磁電流計算値Ｉｆｅｃ’を計算により求めるように、ステップＳＴ４０〜ＳＴ５０を再実行する（ＳＴ６７）。
【００７１】
ステップＳＴ６７の後、演算部１４は、求められた交流励磁機３の界磁電流計算値Ｉｆｅｃ’と、交流励磁機３の界磁電流測定値Ｉｆｅｍとを比較し、両者の差分が最小の当該界磁電流計算値Ｉｆｅｃ’を求めるのに用いた同期機１の界磁電流計算値Ｉｆｇｉ’及び界磁電圧計算値Ｖｆｇｉ’を同期機１の界磁電流修正値Ｉｆｇｉ’及び界磁電圧修正値Ｖｆｇｉ’として選択する（ＳＴ６８）。
【００７２】
ステップＳＴ６８の後、演算部１４は、選択された同期機１の界磁電流修正値Ｉｆｇｉ’及び界磁電圧修正値Ｖｆｇｉ’に基づき、下記式から界磁巻線温度修正値Ｔｆ’を計算する（ＳＴ６９）。
【００７３】
Ｔｆ’＝（２３５＋２０）×｛（Ｖｆｇｉ’／Ｉｆｇｉ’）／Ｒｆ２０｝−２３５
上述したように本実施形態によれば、同期機１の電機子電流測定値Ｉｇ及び電機子電圧測定値Ｖｇと、交流励磁機３の界磁電流測定値Ｉｆｅｍとに基づいて、同期機１の界磁電流修正値Ｉｆｇｉ’及び界磁電圧修正値Ｖｆｇｉ’並びに界磁巻線温度修正値Ｔｆ’を求め、同期機１の界磁電流修正値Ｉｆｇｉ’及び界磁電圧修正値Ｖｆｇｉ’並びに界磁巻線温度修正値Ｔｆ’が予め設定した許容運転範囲を脱した場合、同期機１の各修正値Ｉｆｇｉ’，Ｖｆｇｉ’，Ｔｆ’が当該許容運転範囲を脱しない状態になるまで交流励磁機３の界磁電流を調整するように整流装置５を制御する構成により、ブラシレス励磁式同期機の界磁諸量（界磁電流、界磁電圧、界磁巻線温度）を監視でき、安全な運転を継続することができる。
【００７４】
すなわち、本実施形態においては、例えばＪＥＣ−１１４の界磁電流算定法のような計算手法の組合せにより、従来の構造で測定可能な電気諸量（同期機１及び交流励磁機３の測定値）から界磁諸量を推定し、界磁諸量を監視制御する構成により、ブラシレス励磁式同期機の界磁諸量を監視でき、安全な運転を継続できるようにしている。
【００７５】
＜第２の実施形態＞
図４は第２の実施形態に係るブラシレス同期式励磁機の構成を示す模式図であり、図１と同一部分には同一符号を付してその詳しい説明を省略し、ここでは異なる部分について主に述べる。以下の各実施形態も同様にして、重複した説明を省略する。
【００７６】
第２の実施形態は、第１の実施形態の変形例であり、界磁諸量を常時表示させ、監視する観点から、監視制御装置１０が、表示部１５を更に備えている。
【００７７】
ここで、表示部１５は、通常のディスプレイ装置であり、例えば、ステップＳＴ６８で選択された同期機１の界磁電流修正値Ｉｆｇｉ’及び界磁電圧修正値Ｖｆｇｉ’、並びにステップＳＴ６９で計算された界磁巻線温度修正値Ｔｆ’を表示する機能をもっている。
【００７８】
次に、以上のように構成されたブラシレス同期式励磁機の動作を説明する。
【００７９】
ステップＳＴ１０〜ＳＴ６９までの動作は、第１の実施形態と同様に実行される。
【００８０】
表示部１５は、ステップＳＴ６８で選択された同期機１の界磁電流修正値Ｉｆｇｉ’及び界磁電圧修正値Ｖｆｇｉ’、並びにステップＳＴ６９で計算された界磁巻線温度修正値Ｔｆ’を表示する。
【００８１】
これにより、表示部１５は、表示された同期機１の界磁諸量（界磁電流、界磁電圧、界磁巻線温度）の目視による監視を、監視者に常時、促すことができる。
【００８２】
また、ステップＳＴ６９以降の動作も、第１の実施形態と同様に実行される。
【００８３】
上述したように本実施形態によれば、界磁諸量を常時表示させ監視する構成により、第１の実施形態の効果に加え、目視によっても界磁諸量の変化を把握させることができ、もって、ブラシレス励磁式同期機の安全な運転の継続に寄与することができる。
【００８４】
＜第３の実施形態＞
図５は第３の実施形態に係るブラシレス同期式励磁機の構成を示す模式図である。
【００８５】
第３の実施形態は、第１の実施形態の変形例であり、界磁諸量を長期継続的に記録して経年変化をみる観点から、監視制御装置１０が、界磁諸量データ記憶部１６及び状態診断部１７を更に備えている。
【００８６】
ここで、界磁諸量データ記憶部１６は、ステップＳＴ６８で選択された同期機１の界磁電流修正値Ｉｆｇｉ’及び界磁電圧修正値Ｖｆｇｉ’、並びにステップＳＴ６９で計算された界磁巻線温度修正値Ｔｆ’を含む界磁諸量データを日時情報に関連付けて記憶する。
【００８７】
状態診断部１７は、界磁諸量データ記憶部１６内の過去の界磁諸量データと現在の界磁諸量データとの差分が許容範囲を脱したか否かにより、同期機１の状態を診断する機能と、診断の結果を出力する機能とをもっている。通常の場合、過去の界磁諸量データと現在の界磁諸量データとは差が無く、一定の値である。また、診断の結果を出力する機能は、例えば、図示しないランプ、ブザー、ディスプレイ、通信部などを介して実現可能となっている。
【００８８】
次に、以上のように構成されたブラシレス同期式励磁機の動作を説明する。
【００８９】
ステップＳＴ１０〜ＳＴ６９までの動作は、第１の実施形態と同様に実行される。
【００９０】
演算部１４は、ステップＳＴ６８で選択した同期機１の界磁電流修正値Ｉｆｇｉ’及び界磁電圧修正値Ｖｆｇｉ’、並びにステップＳＴ６９で計算した界磁巻線温度修正値Ｔｆ’を含む界磁諸量データを日時情報に関連付けて界磁諸量データ記憶部１６に書込む。
【００９１】
これにより、界磁諸量データ記憶部１６には、同期機１の界磁諸量データが長期継続的に記憶される。
【００９２】
また、状態診断部１７は、界磁諸量データ記憶部１６内の界磁諸量データにおける経年の変化をみることにより、同期機の状態を診断する。例えば、状態診断部１７は、数年前（少なくとも１〜２年前）の界磁諸量データと、現在の界磁諸量データとの差分が許容範囲を脱したか否かにより、同期機１の状態を診断し、診断の結果を出力する。
【００９３】
また、ステップＳＴ６９以降の動作も、第１の実施形態と同様に実行される。
【００９４】
上述したように本実施形態によれば、長期継続的な記録を取り経年の変化をみる構成により、第１の実施形態の効果に加え、同期機の状態を診断することができる。
【００９５】
なお、第３の実施形態は、第２の実施形態の変形例として実現してもよい。この変形例によれば、第１及び第２の実施形態の効果に加え、同期機の状態を診断できる。
【００９６】
以上説明した少なくとも一つの実施形態によれば、同期機１の電機子電流測定値Ｉｇ及び電機子電圧測定値Ｖｇと、交流励磁機３の界磁電流測定値Ｉｆｅｍとに基づいて、同期機１の界磁電流修正値Ｉｆｇｉ’及び界磁電圧修正値Ｖｆｇｉ’並びに界磁巻線温度修正値Ｔｆ’を求め、同期機１の界磁電流修正値Ｉｆｇｉ’及び界磁電圧修正値Ｖｆｇｉ’並びに界磁巻線温度修正値Ｔｆ’が予め設定した許容運転範囲を脱した場合、同期機１の各修正値Ｉｆｇｉ’，Ｖｆｇｉ’，Ｔｆ’が当該許容運転範囲を脱しない状態になるまで交流励磁機３の界磁電流を調整するように整流装置５を制御する構成により、ブラシレス励磁式同期機の界磁諸量を監視でき、安全な運転を継続することができる。
【００９７】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９８】
１…同期機、２…回転整流器、３…交流励磁機、４…永久磁石発電機、５…整流装置、６…計器用変流器、７…計器用変圧器、１０…監視制御装置、１１…特性データ記憶部、１２…界磁巻線抵抗値記憶部、１３…自動電圧調整装置（ＡＶＲ）、１４…演算部、１５…表示部、１６…界磁諸量データ記憶部、１７…状態診断部。
【図１】
2013233065.tif 000003
【図２】
2013233065.tif 000004
【図３】
2013233065.tif 000005
【図４】
2013233065.tif 000006
【図５】
2013233065.tif 000007